(57)【要約】【課題】コンピュータの操作が不得手な人でも、他人が登録した画像コンテンツを閲覧することができるようにする。【解決手段】撮像装置２００のユーザがコンテンツサーバ３００に画像コンテンツを登録する。コンテンツサーバ３００は、画像コンテンツの格納場所を示すＵＲＬを撮像装置２００に送信する。撮像装置２００の書込装置１００は、ＵＲＬをＩＣカード２０のＩＣタグ２２に書き込む。ＩＣカード２０を受け取った人は、表示装置４００のリモートコントロール装置４０２に内蔵された読取装置４０３に、ＩＣタグ２２に書き込まれているＵＲＬを読み取らせる。表示装置４００は、リモートコントロール装置４０２から受信したＵＲＬを用いてコンテンツサーバ３００に接続し、画像コンテンツを受信して表示する。【選択図】図１
2010226235.tif 000002
【特許請求の範囲】
【請求項１】
画像コンテンツを格納するコンテンツサーバと、
前記画像コンテンツを記憶しているユーザ装置と、
前記ユーザ装置と通信可能であり、ＩＣタグに情報を書き込む書込装置と、
を備え、
前記ユーザ装置は、
前記画像コンテンツを前記コンテンツサーバに送信するユーザ側送信手段と、
前記コンテンツサーバから前記画像コンテンツを受信するために必要なコンテンツ入手情報を前記書込装置に出力する書込データ出力手段と、
を備え、
前記書込装置は、前記ＩＣタグに前記コンテンツ入手情報を書き込み、
前記コンテンツサーバは、
前記ユーザ装置から前記画像コンテンツを受信するコンテンツ受信手段と、
前記コンテンツ受信手段が受信した前記画像コンテンツを前記コンテンツ入手情報に対応付けて記憶するコンテンツ記憶手段と、
画像を表示する表示装置から前記コンテンツ入手情報を受信したときに、前記コンテンツ入手情報に対応する前記画像コンテンツを前記コンテンツ記憶手段から読み出して前記表示装置に送信するサーバ側送信手段と、
を備えるコンテンツ共有システム。
【請求項２】
請求項１に記載のコンテンツ共有システムにおいて、
前記書込装置は前記ユーザ装置と一体に設けられているコンテンツ共有システム。
【請求項３】
請求項１又は２に記載のコンテンツ共有システムにおいて、
前記ユーザ装置は、前記画像コンテンツを生成する撮像装置であるコンテンツ共有システム。
【請求項４】
請求項１〜３のいずれか一つに記載のコンテンツ共有システムにおいて、
前記コンテンツ入手情報はＵＲＬ（Uniform Resource Locator）であるコンテンツ共有システム。
【請求項５】
請求項４に記載のコンテンツ共有システムにおいて、
前記書込装置または前記ユーザ装置には、前記書込装置または前記ユーザ装置を互いに識別する装置識別情報が記憶されており、
前記ユーザ装置は、前記装置識別情報を取得して前記コンテンツサーバに送信し、
前記コンテンツサーバは、
前記装置識別情報別に前記ＵＲＬを生成して前記ユーザ装置に送信するＵＲＬ生成手段を備え、
前記書込装置は、前記ユーザ装置が受信した前記ＵＲＬを前記コンテンツ入手情報として前記ＩＣタグに書き込むコンテンツ共有システム。
【請求項６】
請求項５に記載のコンテンツ共有システムにおいて、
前記コンテンツサーバは、
前記ＵＲＬ生成手段が生成した前記ＵＲＬを前記装置識別情報に対応付けて記憶するＵＲＬ記憶手段をさらに備え、
前記ＵＲＬ生成手段は、
前記ユーザ装置から受信した前記装置識別情報に対応する前記ＵＲＬが前記ＵＲＬ記憶手段に記憶されていないときに、前記ＵＲＬを生成して前記ユーザ装置に送信し、
前記ユーザ装置から受信した前記装置識別情報に対応する前記ＵＲＬが前記ＵＲＬ記憶手段に記憶されているときには、前記装置識別情報に対応する前記ＵＲＬを前記ＵＲＬ記憶手段から読み出して前記ユーザ装置に送信するコンテンツ共有システム。  
【請求項７】
請求項１〜３のいずれか一つに記載のコンテンツ共有システムにおいて、
前記コンテンツ入手情報は、ユーザ識別情報であるコンテンツ共有システム。
【請求項８】
請求項１〜７のいずれか一つに記載のコンテンツ共有システムにおいて、
前記表示装置をさらに備え、
前記表示装置は、
前記ＩＣタグから前記コンテンツ入手情報を読み取る読取手段と、
前記読取手段が読み取った前記コンテンツ入手情報を前記コンテンツサーバに送信し、前記コンテンツ入手情報に対応する前記画像コンテンツを前記コンテンツサーバから受信するコンテンツ受信手段と、
前記コンテンツ受信手段が受信した前記画像コンテンツを表示する表示手段と、
を備えるコンテンツ共有システム。
【請求項９】
画像データを生成する撮像手段と、
前記撮像手段が生成した画像データを画像コンテンツとして記憶するコンテンツ記憶手段と、
コンテンツサーバに前記画像コンテンツを送信して記憶させる送信手段と、
前記コンテンツサーバから前記画像コンテンツを受信するために必要なコンテンツ入手情報を、前記コンテンツサーバから受信してＩＣタグに書き込む書込手段と、
を備える撮像装置。
【請求項１０】
コンテンツサーバが記憶している画像コンテンツを前記コンテンツサーバから受信するために必要なコンテンツ入手情報を、ＩＣタグから読み取る読取手段と、
前記読取手段が読み取った前記コンテンツ入手情報を前記コンテンツサーバに送信し、前記コンテンツ入手情報に対応する前記画像コンテンツを前記コンテンツサーバから受信するコンテンツ受信手段と、
前記コンテンツ受信手段が受信した前記画像コンテンツを表示する表示手段と、
を備えるテレビ。
【請求項１１】
画像コンテンツを格納するコンテンツサーバと、
前記画像コンテンツを記憶しているユーザ装置と、
前記ユーザ装置と通信可能であり、ＩＣタグに情報を書き込む書込装置と、
を用いたコンテンツ共有方法であって、
前記ユーザ装置に、前記画像コンテンツを前記コンテンツサーバに送信させ、
前記コンテンツサーバに、前記ユーザ装置から受信した前記画像コンテンツを、前記コンテンツサーバから前記画像コンテンツを受信するために必要なコンテンツ入手情報に対応付けて記憶させ、
前記ユーザ装置が、前記コンテンツ入手情報を前記書込装置に出力し、
前記書込装置が前記ＩＣタグに前記コンテンツ入手情報を書き込ませ、
前記コンテンツサーバは、画像を表示する表示装置から前記コンテンツ入手情報を受信したときに、前記コンテンツ入手情報に対応する前記画像コンテンツを読み出して前記表示装置に送信するコンテンツ共有方法。
【請求項１２】
コンピュータを、画像コンテンツをコンテンツサーバに送信して記憶させるユーザ装置として機能させるプログラムであって、
前記画像コンテンツを前記コンテンツサーバに送信する機能と、
前記コンテンツサーバから前記画像コンテンツを受信するために必要なコンテンツ入手情報を、ＩＣタグの書込装置に出力して前記ＩＣタグに書き込ませる機能と、
を実現するプログラム。
【発明の詳細な説明】
【技術分野】
【０００１】
本発明は、コンピュータの操作が不得手な人でも、他人が登録した画像コンテンツを閲覧することができるコンテンツ共有システム、撮像装置、テレビ、コンテンツ共有方法、及びプログラムに関する。
【背景技術】
【０００２】
インターネットの発達に伴い、自分が撮像した画像コンテンツをインターネット上のサーバに登録し、他人が閲覧することができるようにする機会が増えている。
【０００３】
例えば特許文献１には、閲覧対象となる画像データを画像データ記憶手段に記憶させ、管理サーバで画像データ記憶手段を管理することが記載されている。管理サーバは、画像データの登録処理を行うと共に、閲覧者の閲覧要求に応じて閲覧者端末装置に画像データを送信する。特許文献１において、閲覧者は、ＩＤ及びパスワードをログインメニュー画面で入力することが要求されている。
【先行技術文献】
【特許文献】
【０００４】
【特許文献１】特開２００３−２０８４７９号公報
【発明の概要】
【発明が解決しようとする課題】
【０００５】
コンピュータの操作が不得手な人にとって、ログインメニュー画面をコンピュータに表示させること、及びＩＤ及びパスワードをログインメニュー画面で入力することは、心理的なハードルが高い。このため、コンピュータの操作が不得手な人にとって、他人が登録した画像コンテンツを閲覧することは難しかった。
【０００６】
本発明は上記事情に鑑みてなされたものであり、その目的とするところは、コンピュータの操作が不得手な人でも、他人が登録した画像コンテンツを閲覧することができるコンテンツ共有システム、撮像装置、テレビ、コンテンツ共有方法、及びプログラムを提供することにある。
【課題を解決するための手段】
【０００７】
本発明によれば、画像コンテンツを格納するコンテンツサーバと、
前記画像コンテンツを記憶しているユーザ装置と、
前記ユーザ装置と通信可能であり、ＩＣタグに情報を書き込む書込装置と、
を備え、
前記ユーザ装置は、
前記画像コンテンツを前記コンテンツサーバに送信するユーザ側送信手段と、
前記コンテンツサーバから前記画像コンテンツを受信するために必要なコンテンツ入手情報を前記書込装置に出力する書込データ出力手段と、
を備え、
前記書込装置は、前記ＩＣタグに前記コンテンツ入手情報を書き込み、
前記コンテンツサーバは、
前記ユーザ装置から前記画像コンテンツを受信するコンテンツ受信手段と、
前記コンテンツ受信手段が受信した前記画像コンテンツを前記コンテンツ入手情報に対応付けて記憶するコンテンツ記憶手段と、
画像を表示する表示装置から前記コンテンツ入手情報を受信したときに、前記コンテンツ入手情報に対応する前記画像コンテンツを前記コンテンツ記憶手段から読み出して前記表示装置に送信するサーバ側送信手段と、
を備えるコンテンツ共有システムが提供される。
【０００８】
本発明によれば、画像データを生成する撮像手段と、
前記撮像手段が生成した画像データを画像コンテンツとして記憶するコンテンツ記憶手段と、
コンテンツサーバに前記画像コンテンツを送信して記憶させる送信手段と、
前記コンテンツサーバから前記画像コンテンツを受信するために必要なコンテンツ入手情報を、前記コンテンツサーバから受信してＩＣタグに書き込む書込手段と、
を備える撮像装置が提供される。
【０００９】
本発明によれば、コンテンツサーバが記憶している画像コンテンツを前記コンテンツサーバから受信するために必要なコンテンツ入手情報を、ＩＣタグから読み取る読取手段と、
前記読取手段が読み取った前記コンテンツ入手情報を前記コンテンツサーバに送信し、前記コンテンツ入手情報に対応する前記画像コンテンツを前記コンテンツサーバから受信するコンテンツ受信手段と、
前記コンテンツ受信手段が受信した前記画像コンテンツを表示する表示手段と、
を備えるテレビが提供される。
【００１０】
本発明によれば、画像コンテンツを格納するコンテンツサーバと、
前記画像コンテンツを記憶しているユーザ装置と、
前記ユーザ装置と通信可能であり、ＩＣタグに情報を書き込む書込装置と、
を用いたコンテンツ共有方法であって、
前記ユーザ装置に、前記画像コンテンツを前記コンテンツサーバに送信させ、
前記コンテンツサーバに、前記ユーザ装置から受信した前記画像コンテンツを、前記コンテンツサーバから前記画像コンテンツを受信するために必要なコンテンツ入手情報に対応付けて記憶させ、
前記ユーザ装置が、前記コンテンツ入手情報を前記書込装置に出力し、
前記書込装置が前記ＩＣタグに前記コンテンツ入手情報を書き込ませ、
前記コンテンツサーバは、画像を表示する表示装置から前記コンテンツ入手情報を受信したときに、前記コンテンツ入手情報に対応する前記画像コンテンツを読み出して前記表示装置に送信するコンテンツ共有方法が提供される。
【００１１】
本発明によれば、コンピュータを、画像コンテンツをコンテンツサーバに送信して記憶させるユーザ装置として機能させるプログラムであって、
前記画像コンテンツを前記コンテンツサーバに送信する機能と、
前記コンテンツサーバから前記画像コンテンツを受信するために必要なコンテンツ入手情報を、ＩＣタグの書込装置に出力して前記ＩＣタグに書き込ませる機能と、
を実現するプログラムが提供される。
【発明の効果】
【００１２】
本発明によれば、コンピュータの操作が不得手な人でも、他人が登録した画像コンテンツを閲覧することができる。
【図面の簡単な説明】
【００１３】
【図１】第１の実施形態におけるコンテンツ共有システムの構成を示す図である。
【図２】書込装置の機能構成を示すブロック図である。
【図３】撮像装置の機能構成を示すブロック図である。
【図４】コンテンツサーバの機能構成を示すブロック図である。
【図５】コンテンツ記憶部が記憶しているデータをテーブル形式で示す図である。
【図６】図１に示したコンテンツ共有システムの第１の動作を示すフローチャートである。
【図７】図１に示したコンテンツ共有システムの第２の動作を示すフローチャートである。
【図８】第２の実施形態に係るコンテンツ記憶部のデータ構成を示すブロック図である。
【図９】第２の実施形態に係るコンテンツ共有システムの動作を示すフローチャートである。
【図１０】第３の実施形態に係るコンテンツサーバの機能構成を示すブロック図である。
【図１１】第３の実施形態におけるコンテンツ記憶部のデータ構成をテーブル形式で示す図である。
【図１２】第３の実施形態に係るコンテンツ共有システムの第１の動作を示すフローチャートである。
【図１３】第３の実施形態に係るコンテンツ共有システムの第２の動作を示すフローチャートである。
【図１４】第４の実施形態に係るコンテンツサーバの機能構成を示すブロック図である。
【発明を実施するための形態】
【００１４】
以下、本発明の実施の形態について、図面を用いて説明する。尚、すべての図面において、同様な構成要素には同様の符号を付し、適宜説明を省略する。
【００１５】
（第１の実施形態）
図１は、第１の実施形態におけるコンテンツ共有システムの構成を示す図である。このコンテンツ共有システムは、コンテンツサーバ３００、ユーザ装置としての撮像装置２００、および書込装置１００を備える。本実施形態において書込装置１００は、撮像装置２００に組み込まれており、撮像装置２００と一体に設けられている。撮像装置２００は、画像コンテンツを記憶しており、その画像コンテンツをコンテンツサーバ３００に送信する。このとき、撮像装置２００の書込装置１００は、書込装置１００を相互に識別する書込装置識別情報を撮像装置２００に出力する。
【００１６】
コンテンツサーバ３００は、撮像装置２００が記憶している画像コンテンツ及び書き込み装置識別情報を、通信網５０及びゲートウェイサーバ５００を介して受信し、画像コンテンツをコンテンツ入手情報に対応付けて格納する。この格納場所は、書込装置識別情報に基づいて定められる。コンテンツ入手情報は、コンテンツサーバ３００から画像コンテンツを受信するために必要な情報である。コンテンツ入手情報は、例えばＵＲＬ（Uniform Resource Locator）の場合もあるし、ユーザ識別情報の場合もあるし、ユーザ識別情報とコンテンツ識別情報の組み合わせの場合もある。本実施形態では、コンテンツ入手情報はＵＲＬである。このＵＲＬは、コンテンツサーバ３００が生成する。そしてコンテンツサーバ３００は、ＵＲＬを撮像装置２００に送信する。
【００１７】
撮像装置２００は、コンテンツサーバ３００からコンテンツ入手情報としてのＵＲＬを受信すると、受信したＵＲＬを書込装置１００に出力する。書込装置１００は、撮像装置２００と通信可能であり、撮像装置２００が受信したコンテンツ入手情報をＩＣタグ２２に書き込む。ＩＣタグ２２は、ＩＣカード２０に設けられている。
【００１８】
その後、ＩＣカード２０は、画像コンテンツを閲覧してほしい他人（例えば親戚）に送付される。ＩＣカード２０を受信した人は、自分が所有している表示装置４００のリモートコントロール装置４０２に内蔵された読取装置４０３に、ＩＣタグ２２に書き込まれている情報、すなわちＵＲＬを読み取らせる。リモートコントロール装置４０２は、読取装置４０３が読み取ったＵＲＬを表示装置４００に送信する。表示装置４００は、リモートコントロール装置４０２から受信したＵＲＬを用いてコンテンツサーバ３００に接続する。コンテンツサーバ３００は、表示装置４００から受信したＵＲＬに対応する画像コンテンツを読み出して表示装置４００に送信する。表示装置４００は、コンテンツサーバ３００から送信された画像コンテンツを表示する。なお、表示装置４００は、例えばテレビである。
【００１９】
図２は、書込装置１００の機能構成を示すブロック図である。書込装置１００は、受信部１１０及び書込部１２０を備える。受信部１１０は、撮像装置２００から情報、例えばコンテンツ入手情報としてのＵＲＬを受信する。書込部１２０は、受信部１１０が受信した情報をＩＣタグ２２に書き込む。
【００２０】
また書込装置１００は、識別情報記憶部１３０、読取部１３５、及び送信部１４０を備える。識別情報記憶部１３０は、書込装置識別情報を記憶している。読取部１３５は、ＩＣタグ２２からタグ識別情報を読み取る。そして送信部１４０は、読取部１３５がタグ識別情報を読み取ると、タグ識別情報、及び識別情報記憶部１３０が記憶している書込装置識別情報を撮像装置２００に出力する。
【００２１】
図３は、撮像装置２００の機能構成を示すブロック図である。撮像装置２００は、撮像部２１０、コンテンツ記憶部２２０、接続情報記憶部２３０、ユーザ側送信部２４０、コンテンツ入手情報受信部２５０、及び書込データ出力部２６０を備える。
【００２２】
撮像部２１０は、画像データを生成する。この画像データは、動画であっても良いし静止画であっても良い。コンテンツ記憶部２２０は、撮像部２１０が撮像した画像データを画像コンテンツとして記憶する。
【００２３】
接続情報記憶部２３０は、コンテンツサーバ３００に接続するために必要な情報である接続情報を記憶している。ユーザ側送信部２４０は、書込装置１００から書込装置識別情報を受信すると、接続情報を接続情報記憶部２３０から読み出し、読み出した接続情報を用いてコンテンツサーバ３００に接続する。接続情報は、例えばゲートウェイサーバ５００のＵＲＬ、又はコンテンツサーバ３００のＵＲＬである。前者の場合、ゲートウェイサーバ５００は、書込装置識別情報とコンテンツサーバ３００のＵＲＬを互いに対応付けて記憶している。そしてゲートウェイサーバ５００は、表示装置４００からコンテンツ識別情報を受信すると、受信したコンテンツ識別情報に対応するＵＲＬを読み出し、このＵＲＬを用いてコンテンツサーバ３００に接続する。
【００２４】
コンテンツ入手情報受信部２５０は、コンテンツサーバ３００からＩＣタグ２２に書き込むべき情報、例えばコンテンツ入手情報としてのＵＲＬを受信する。書込データ出力部２６０は、コンテンツ入手情報受信部２５０が受信した情報を書込装置１００に出力し、ＩＣタグ２２に書き込ませる。
【００２５】
なお、図３において、本発明の本質に関わらない部分の構成については省略している。図３に示した撮像装置２００の各構成要素は、ハードウエア単位の構成ではなく、機能単位のブロックを示している。撮像装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００２６】
図４は、コンテンツサーバ３００の機能構成を示すブロック図である。コンテンツサーバ３００は、コンテンツ受信部３１０、ＵＲＬ生成部３２０、コンテンツ記憶部３３０、及びサーバ側送信部３４０を備える。
【００２７】
コンテンツ受信部３１０は、撮像装置２００から画像コンテンツを受信してコンテンツ記憶部３３０に記憶させる。コンテンツ記憶部３３０は、画像コンテンツを記憶するほか、ＵＲＬ記憶部として機能する。すなわちコンテンツ記憶部３３０は、書込装置識別情報と、その書込装置識別情報に対応するＵＲＬを互いに対応付けて記憶している。さらにコンテンツ記憶部３３０は、ＵＲＬに対応付けて画像コンテンツを記憶している。
【００２８】
ＵＲＬ生成部３２０は、コンテンツ受信部３１０が受信した書込装置識別情報に対応するＵＲＬがコンテンツ記憶部３３０に記憶されているとき、コンテンツ受信部３１０が受信した画像コンテンツを、コンテンツ受信部３１０が受信した書込装置識別情報に対応するＵＲＬに対応付けてコンテンツ記憶部３３０に記憶させる。
【００２９】
またＵＲＬ生成部３２０は、コンテンツ受信部３１０が受信した書込装置識別情報に対応するＵＲＬがコンテンツ記憶部３３０に記憶されていないとき、新たにＵＲＬを生成し、コンテンツ受信部３１０が受信した画像コンテンツを、新たに生成したＵＲＬに対応付けてコンテンツ記憶部３３０に記憶させる。
【００３０】
そしてＵＲＬ生成部３２０は、コンテンツ記憶部３３０が新たに記憶した画像コンテンツに対応するＵＲＬを、撮像装置２００に送信する。
【００３１】
サーバ側送信部３４０は、表示装置４００からコンテンツ入手情報としてのＵＲＬを受信したときに、受信したＵＲＬに対応する画像コンテンツをコンテンツ記憶部３３０から読み出して表示装置４００に送信する。
【００３２】
なお、図４において、本発明の本質に関わらない部分の構成については省略している。図４に示したコンテンツサーバ３００の各構成要素は、ハードウエア単位の構成ではなく、機能単位のブロックを示している。コンテンツサーバ３００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置には様々な変形例があることは、当業者には理解されるところである。
【００３３】
図５は、コンテンツ記憶部３３０が記憶しているデータをテーブル形式で示す図である。コンテンツ記憶部３３０は、書込装置識別情報別に、ＵＲＬ及び少なくとも一つの画像コンテンツを記憶している。ＵＲＬは、書込装置識別情報それぞれにユニークなものである。またコンテンツ記憶部３３０は、画像コンテンツをＩＣタグ２２のタグ識別情報に対応付けて記憶している。なお、コンテンツ記憶部３３０は、少なくとも一つの画像コンテンツを記憶している複数のフォルダを、ＩＣタグ２２のタグ識別情報に対応付けて記憶していても良い。この場合、コンテンツ記憶部３３０は、フォルダをＵＲＬに対応付けて記憶する。
【００３４】
図６は、図１に示したコンテンツ共有システムの第１の動作を示すフローチャートである。この動作は、撮像装置２００のユーザが画像コンテンツをコンテンツサーバ３００に記憶させるときの動作を示している。
【００３５】
コンテンツサーバ３００に記憶されるべき画像コンテンツは、予め撮像装置２００のコンテンツ記憶部２２０に記憶されている。撮像装置２００のユーザは、書込装置１００にＩＣカード２０をセットする。すると、書込装置１００の読取部１３５は、ＩＣカード２０のＩＣタグ２２からタグ識別情報を読み取る。そして送信部１４０は、識別情報記憶部１３０が記憶している書込装置識別情報を、読取部１３５が読み取ったタグ識別情報とともに撮像装置２００のユーザ側送信部２４０に出力する。
【００３６】
撮像装置２００のユーザ側送信部２４０は、接続情報記憶部２３０から接続情報を読み出し、読み出した接続情報を用いてコンテンツサーバ３００に接続する。そしてユーザ側送信部２４０は、書込装置識別情報をコンテンツサーバ３００に送信する（ステップＳ１０）。
【００３７】
コンテンツサーバ３００のＵＲＬ生成部３２０は、撮像装置２００から書込装置識別情報を受信する。ＵＲＬ生成部３２０は、コンテンツ受信部３１０が受信した書込装置識別情報に対応するＵＲＬがコンテンツ記憶部３３０に記憶されているとき（ステップＳ２０：Ｙｅｓ）、そのＵＲＬを読み出す（ステップＳ３０）。
【００３８】
またＵＲＬ生成部３２０は、コンテンツ受信部３１０が受信した書込装置識別情報に対応するＵＲＬがコンテンツ記憶部３３０に記憶されていないとき（ステップＳ２０：Ｎｏ）、新たにＵＲＬを生成し、生成したＵＲＬを書込装置識別情報に対応付けてコンテンツ記憶部３３０に記憶させる。（ステップＳ３５）。
【００３９】
そしてＵＲＬ生成部３２０は、読み出したＵＲＬ又は生成したＵＲＬを、撮像装置２００に送信する（ステップＳ４０）。
【００４０】
撮像装置２００のユーザは、送信すべき画像コンテンツをコンテンツ記憶部２２０から選択する。そして撮像装置２００は、コンテンツサーバ３００から受信したＵＲＬを用いてコンテンツサーバ３００に接続し、ユーザが選択した画像コンテンツをＩＣタグ２２のタグ識別情報に対応付けて送信する（ステップＳ５０）。
【００４１】
コンテンツサーバ３００のコンテンツ受信部３１０は、画像コンテンツ及びタグ識別情報の組み合わせを、ＵＲＬに対応付けてコンテンツ記憶部３３０に記憶させる（ステップＳ６０）。
【００４２】
また撮像装置２００のコンテンツ入手情報受信部２５０は、コンテンツサーバ３００のＵＲＬ生成部３２０から受信したＵＲＬを、書込データ出力部２６０を介して書込装置１００に出力する。書込装置１００の受信部１１０は、書込データ出力部２６０からＵＲＬを受信する。そして書込装置１００の書込部１２０は、受信部１１０が受信したＵＲＬをＩＣカード２０のＩＣタグ２２に書き込む（ステップＳ７０）。
【００４３】
その後、撮像装置２００のユーザは、撮像装置２００の書込装置１００からＩＣカード２０を取り外し、ＩＣカード２０を、画像コンテンツを閲覧してほしい人に渡す。
【００４４】
なお、図６に示す処理において、撮像装置２００のユーザが書込装置１００にＩＣカード２０をセットするタイミングは、画像コンテンツをコンテンツサーバ３００に記憶させた後、すなわち図６のステップＳ４０とステップＳ５０の間であっても良い。この場合、図６のステップＳ１０は、撮像装置２００に対するユーザの入力をトリガーとして行われる。
【００４５】
図７は、図１に示したコンテンツ共有システムの第２の動作を示すフローチャートである。この動作は、ＩＣカード２０を渡されたユーザが、画像コンテンツをコンテンツサーバ３００からダウンロードするときの動作を示している。
【００４６】
表示装置４００のユーザは、リモートコントロール装置４０２に設けられた読取装置４０３に、ＩＣカード２０のＩＣタグ２２からＵＲＬ及びタグ識別情報を読み取らせる（ステップＳ１１０）。リモートコントロール装置４０２は、読取装置４０３が読み取ったＵＲＬ及びタグ識別情報を表示装置４００に送信する。表示装置４００は、リモートコントロール装置４０２から受信したＵＲＬを用いてコンテンツサーバ３００に接続する（Ｓ１２０）。
【００４７】
コンテンツサーバ３００のサーバ側送信部３４０は、コンテンツ記憶部３３０に記憶されている情報を用いて、表示装置４００から受信したＵＲＬに対応する画像コンテンツのリストを生成する（ステップＳ１３０）。ここで生成されるリストには、画像コンテンツのサムネイル表示が含まれていても良い。またコンテンツ記憶部３３０がＵＲＬを、画像コンテンツを記憶しているフォルダに対応付けて記憶している場合、サーバ側送信部３４０は、表示装置４００から受信したＵＲＬに対応するフォルダに記憶されている画像コンテンツのリストを生成する。そしてサーバ側送信部３４０は、画像コンテンツのリストを表示装置４００に送信する（ステップＳ１４０）。なお、画像コンテンツのリストには、画像コンテンツを相互に識別する画像コンテンツの識別情報が含まれる。
【００４８】
表示装置４００は、コンテンツサーバ３００から受信した画像コンテンツのリストを表示する（ステップＳ１５０）。表示装置４００のユーザは、表示装置４００に表示された画像コンテンツのリストから、閲覧したい画像コンテンツを選択し、選択した画像コンテンツを特定する情報を入力する（ステップＳ１６０）。表示装置４００は、入力された画像コンテンツを特定する情報に対応する画像コンテンツの識別情報を、コンテンツサーバ３００に送信する（ステップＳ１７０）。コンテンツサーバ３００のサーバ側送信部３４０は、表示装置４００から画像コンテンツの識別情報を受信すると、受信した識別情報に対応する画像コンテンツをコンテンツ記憶部３３０から読み出し（ステップＳ１８０）、読み出した画像コンテンツを表示装置４００に送信する（ステップＳ１９０）。表示装置４００は、受信した画像コンテンツを表示する（ステップＳ２００）。
【００４９】
なお、ステップＳ１２０において、表示装置４００はＩＣタグ２２のタグ識別情報を送信しても良い。この場合、コンテンツサーバ３００は、画像コンテンツのリストを生成せずに、受信したタグ識別情報に対応する画像コンテンツを読み出して表示装置に送信する。
【００５０】
次に、本実施形態による作用及び効果について説明する。本実施形態によれば、撮像装置２００のユーザがコンテンツサーバ３００に画像コンテンツを記憶させるとき、ＩＣカード２０のＩＣタグ２２には、画像コンテンツを特定するためのＵＲＬが記憶される。このため、コンテンツサーバ３００に記憶されている画像コンテンツを見たい人は、ＩＣカード２０のＩＣタグ２２を表示装置４００のリモートコントロール装置４０２にかざすのみで、コンテンツサーバ３００に記憶されている画像コンテンツを見ることができる。このため、コンピュータの操作が不得手な人でも、他人が登録した画像コンテンツを閲覧することができる。
【００５１】
（第２の実施形態）
次に、第２の実施形態に係るコンテンツ共有システムについて説明する。このコンテンツ供給システムは、画像コンテンツ別にＵＲＬが割り振られている点を除いて、第１の実施形態と同様である。以下、第１の実施形態と同様の構成については説明を省略する。
【００５２】
図８は、本実施形態に係るコンテンツサーバ３００のコンテンツ記憶部３３０のデータ構成を示すブロック図である。コンテンツ記憶部３３０は、書込装置識別情報別に、画像コンテンツとその画像コンテンツに対応するＵＲＬを互いに対応付けて記憶している。
【００５３】
図９は、本実施形態に係るコンテンツ共有システムの動作を示すフローチャートであり、第１の実施形態における図６に相当する図である。本図に示す処理において、撮像装置２００が書込装置識別情報及び画像コンテンツをコンテンツサーバ３００に送信するまでの処理（ステップＳ１０）は、第１の実施形態と同様である。
【００５４】
コンテンツサーバ３００のＵＲＬ生成部３２０は、撮像装置識別情報を受信するとＵＲＬを生成し（ステップＳ３０）、生成したＵＲＬを撮像装置２００に送信する（ステップＳ４０）。
【００５５】
これ以降の動作は、第１の実施形態と同様である。本実施形態によっても、第１の実施形態と同様の効果を得ることができる。
【００５６】
（第３の実施形態）
次に、第３の実施形態に係るコンテンツ共有システムについて説明する。このコンテンツ供給システムは、コンテンツ入手情報として、ユーザ識別情報及びパスワードを用いる点を除いて、第１の実施形態と同様である。以下、第１の実施形態と同様の構成については説明を省略する。なお本実施形態において、撮像装置２００の代わりにコンピュータ端末などのユーザ端末を用いてもよい。
【００５７】
図１０は、本実施形態に係るコンテンツサーバ３００の機能構成を示すブロック図である。本実施形態に係るコンテンツサーバ３００は、ＵＲＬ生成部３２０を有していない点、ログイン情報記憶部３５０を有している点、コンテンツ受信部３１０の機能、サーバ側送信部３４０の機能、及びコンテンツ記憶部３３０のデータ構成を除いて、第１の実施形態に係るコンテンツサーバ３００と同様である。
【００５８】
ログイン情報記憶部３５０は、ユーザ識別情報とパスワードを互いに対応付けて記憶している。コンテンツ受信部３１０は、ユーザ識別情報及びパスワードを撮像装置２００から受信し、受信したユーザ識別情報及びパスワードの組み合わせがログイン情報記憶部３５０に記憶されているときに、ユーザを認証する。そしてユーザを認証した後に、画像コンテンツを受信する。
【００５９】
サーバ側送信部３４０は、ユーザ識別情報及びパスワードを表示装置４００から受信し、受信したユーザ識別情報及びパスワードの組み合わせがログイン情報記憶部３５０に記憶されているときに、ユーザを認証する。そしてユーザを認証した後に、画像コンテンツを表示装置４００に送信する。
【００６０】
図１１は、本実施形態におけるコンテンツ記憶部３３０のデータ構成をテーブル形式で示す図である。本図に示す例においてコンテンツ記憶部３３０は、ユーザ識別情報別に、コンテンツ識別情報及び画像コンテンツを互いに対応付けて記憶している。コンテンツ識別情報は、コンテンツ受信部３１０が生成する。
【００６１】
図１２は、本実施形態に係るコンテンツ共有システムの第１の動作を示すフローチャートであり、第１の実施形態における図６に相当する図である。撮像装置２００のユーザは、書込装置１００にＩＣカード２０をセットし、かつ撮像装置２００のユーザ側送信部２４０にユーザ識別情報及びパスワードを入力する。そして撮像装置２００のユーザ側送信部２４０は、接続情報記憶部２３０から接続情報を読み出し、読み出した接続情報を用いてコンテンツサーバ３００に接続する。そしてユーザ側送信部２４０は、ユーザ識別情報及びパスワードを、コンテンツサーバ３００に送信する（ステップＳ３００）。
【００６２】
コンテンツサーバ３００のコンテンツ受信部３１０は、受信したユーザ識別情報とパスワードの組み合わせがログイン情報記憶部３５０に記憶されてない場合（ステップＳ３１０：Ｎｏ）、撮像装置２００にエラー情報を送信する（ステップＳ３２０）。撮像装置２００は、エラー情報の表示を行って（ステップＳ３２２）、処理を終了する。
【００６３】
コンテンツ受信部３１０は、受信したユーザ識別情報とパスワードの組み合わせがログイン情報記憶部３５０に記憶されている場合（ステップＳ３１０：Ｙｅｓ）、コンテンツ登録画面データを撮像装置２００に送信する（ステップＳ３３０）。撮像装置２００のユーザ側送信部２４０は、撮像装置２００の表示パネルに、コンテンツ登録画面を表示する（ステップＳ３４０）。
【００６４】
撮像装置２００のユーザは、コンテンツ登録画面において、送信すべき画像コンテンツをコンテンツ記憶部２２０から選択する。そして撮像装置２００のユーザ側送信部２４０は、選択された画像コンテンツを、コンテンツサーバ３００に送信する（ステップＳ３５０）。
【００６５】
コンテンツサーバ３００のコンテンツ受信部３１０は、撮像装置２００から受信した画像コンテンツを、認証時に用いたユーザ識別情報に対応付けてコンテンツ記憶部３３０に記憶させる（ステップＳ３６０）。このときコンテンツ受信部３１０は、コンテンツ識別情報を生成し、このコンテンツ識別情報を画像コンテンツに対応付けて記憶する。そしてコンテンツ受信部３１０は、コンテンツ識別情報を撮像装置２００に送信する（ステップＳ３７０）。
【００６６】
撮像装置２００のコンテンツ入手情報受信部２５０は、コンテンツサーバ３００のコンテンツ受信部３１０からコンテンツ識別情報を受信し、ユーザ識別情報及びパスワードと共に、書込データ出力部２６０を介して書込装置１００に出力する。書込装置１００の受信部１１０は、書込データ出力部２６０からコンテンツ識別情報、ユーザ識別情報、及びパスワードを受信する。そして書込装置１００の書込部１２０は、受信部１１０が受信したコンテンツ識別情報、ユーザ識別情報、及びパスワードをＩＣカード２０のＩＣタグ２２に書き込む（ステップＳ３８０）。
【００６７】
その後、撮像装置２００のユーザは、撮像装置２００の書込装置１００からＩＣカード２０を取り外し、ＩＣカード２０を、画像コンテンツを閲覧してほしい人に渡す。
【００６８】
図１３は、本実施形態に係るコンテンツ共有システムの第２の動作を示すフローチャートである。この動作は、ＩＣカード２０を渡されたユーザが、画像コンテンツをコンテンツサーバ３００からダウンロードするときの動作を示している。
【００６９】
表示装置４００のユーザは、リモートコントロール装置４０２に設けられた読取装置４０３に、ＩＣカード２０のＩＣタグ２２からユーザ識別情報、パスワード、及びコンテンツ識別情報を読み取らせる（ステップＳ４００）。リモートコントロール装置４０２は、読取装置４０３が読み取ったユーザ識別情報、パスワード、及びコンテンツ識別情報を表示装置４００に送信する。
【００７０】
表示装置４００は、予めコンテンツサーバ３００に接続するための接続情報を記憶している。ここで記憶されている情報は、第１の実施形態において接続情報記憶部２３０に記憶されている接続情報と同様である。表示装置４００は、リモートコントロール装置４０２からユーザ識別情報、パスワード、及びコンテンツ識別情報を受信すると、接続情報を用いてコンテンツサーバ３００に接続する。そして表示装置４００は、ユーザ識別情報、パスワード、及びコンテンツ識別情報をコンテンツサーバ３００に送信する（ステップＳ４１０）。
【００７１】
コンテンツサーバ３００のサーバ側送信部３４０は、受信したユーザ識別情報とパスワードの組み合わせがログイン情報記憶部３５０に記憶されてない場合（ステップＳ４２０：Ｎｏ）、表示装置４００にエラー情報を送信する（ステップＳ４３０）。表示装置４００は、エラー情報の表示を行って（ステップＳ４３２）、処理を終了する。
【００７２】
サーバ側送信部３４０は、受信したユーザ識別情報とパスワードの組み合わせがログイン情報記憶部３５０に記憶されている場合（ステップＳ４３０：Ｙｅｓ）、受信したユーザ識別情報及びコンテンツ識別情報の組み合わせに対応する画像コンテンツを読み出し（ステップＳ４４０）、読み出した画像コンテンツを表示装置４００に送信する（ステップＳ４５０）。表示装置４００は、コンテンツサーバ３００から受信した画像コンテンツを表示する（ステップＳ４６０）。
【００７３】
本実施形態によっても、第１の実施形態と同様の効果を得ることができる。なお本実施形態において、ＩＣカード２０のＩＣタグ２２は、コンテンツ識別情報を記憶しなくても良い。この場合、コンテンツ共有システムは、ユーザ識別情報に対応する画像コンテンツのリストを生成し、第１の実施形態における図７のステップＳ１４０〜ステップＳ２００と同様の処理を行う。
【００７４】
（第４の実施形態）
本実施形態に係るコンテンツ共有システムは、ユーザ識別情報及びパスワードを送信することによっても、コンテンツ記憶部３３０が記憶しているコンテンツを受信することができる点を除いて、第１又は第２の実施形態に係るコンテンツ共有システムと同様の構成である。  
【００７５】
図１４は、本実施形態におけるコンテンツサーバ３００の機能構成を示すブロック図である。このコンテンツサーバ３００は、ログイン情報記憶部３５０を有している点を除いて、第１又は第２の実施形態に係るコンテンツ共有システムと同様の構成である。ログイン情報記憶部３５０は、書込装置識別情報、ユーザ識別情報、及びパスワードを互いに対応付けて記憶している。サーバ側送信部３４０は、外部の端末（例えばユーザのコンピュータ端末）からユーザ識別情報及びパスワードの組み合わせを受信し、この組み合わせがコンテンツ記憶部３３０に記憶されていると、この組み合わせに対応する書込装置識別情報を読み出す。そして、サーバ側送信部３４０は、読み出した書込装置識別情報に対応する画像コンテンツをコンテンツ記憶部３３０から読み出して、外部の端末に返信する。
【００７６】
上記した動作のほか、本実施形態に係るコンテンツ共有システムは、第１又は第２の実施形態で説明した各動作を行う。
【００７７】
本実施形態によっても、第１又は第２の実施形態と同様の効果を得ることができる。また、画像コンテンツをコンテンツサーバ３００に登録したユーザは、自分のコンピュータ端末を用いて、コンテンツサーバ３００に登録した画像コンテンツを閲覧し、編集することができる。
【００７８】
以上、図面を参照して本発明の実施形態について述べたが、これらは本発明の例示であり、上記以外の様々な構成を採用することもできる。
【００７９】
例えば第１及び第２の実施形態において、書込装置識別情報の代わりに、撮像装置２００を相互に識別する撮像装置識別情報を用いても良い。この場合、撮像装置２００には、撮像装置識別情報を記憶する記憶部が設けられる。そしてユーザ側送信部２４０は、この記憶部から撮像装置識別情報を読み出してコンテンツサーバ３００に送信する。また書込装置１００は、撮像装置２００に対して取り外し可能な形態であっても良い。
【符号の説明】
【００８０】
２０ ＩＣカード
２２ ＩＣタグ
５０ 通信網
１００ 書込装置
１１０ 受信部
１２０ 書込部
１３０ 識別情報記憶部
１３５ 読取部
１４０ 送信部
２００ 撮像装置
２１０ 撮像部
２２０ コンテンツ記憶部
２３０ 接続情報記憶部
２４０ ユーザ側送信部
２５０ コンテンツ入手情報受信部
２６０ 書込データ出力部
３００ コンテンツサーバ
３１０ コンテンツ受信部
３２０ ＵＲＬ生成部
３３０ コンテンツ記憶部
３４０ サーバ側送信部
３５０ ログイン情報記憶部
４００ 表示装置
４０２ リモートコントロール装置
４０３ 読取装置
５００ ゲートウェイサーバ
【図１】
2010226235.tif 000003
【図２】
2010226235.tif 000004
【図３】
2010226235.tif 000005
【図４】
2010226235.tif 000006
【図５】
2010226235.tif 000007
【図６】
2010226235.tif 000008
【図７】
2010226235.tif 000009
【図８】
2010226235.tif 000010
【図９】
2010226235.tif 000011
【図１０】
2010226235.tif 000012
【図１１】
2010226235.tif 000013
【図１２】
2010226235.tif 000014
【図１３】
2010226235.tif 000015
【図１４】
2010226235.tif 000016